(57)【要約】【課題】光信号の送受信のみによって、着座使用及び立位使用の使用者を確実に検知することが可能なトイレ装置を提供すること。【解決手段】このトイレ装置としての擬音発生装置１０は、第一検知領域ＳＡ１から反射される第一反射信号及び第二検知領域ＳＡ２から反射される第二反射信号に応じて出力される受信信号に基づいて、トイレ室ＴＲの便座ＷＳ側から見て左側側壁に設けられているのか右側側壁に設けられているのかを認識し、第一反射信号及び第二反射信号に応じて出力される受信信号に基づいて、使用者が第一検知領域ＳＡ１及び第二検知領域ＳＡ２のいずれに存在するかを判断し、これらの認識結果と判断結果とに基づいて、便座ＷＳに着座している使用者Ｈの存在有無と、便座ＷＳに着座していない使用者Ｈの存在有無との双方を判断する。【選択図】図１
2012090971.tif 000002
【特許請求の範囲】
【請求項１】
トイレ室の壁面に設けられ、予め定められた機能を実行する機能部における当該機能の実行を制御するトイレ装置であって、
光信号を送信する投光部と、前記投光部が送信する光信号が反射された反射信号を受信する受光部と、を有し、受信した反射信号に応じた受信信号を出力する反射型センサーと、
前記機能部における機能の実行を指示する操作を受け付けて、その操作に応じた操作信号を出力する操作指示部と、
前記反射型センサーから出力される受信信号に基づいて使用者の存在有りと判断すると、前記機能部における機能を実行させる一方で、その判断の結果に係らず、前記操作指示部から出力される操作信号に基づいて前記機能部における機能を実行させる制御部と、を備え、
前記投光部は、横方向において異なる方向に向けて光信号を送信する第一投光素子と第二投光素子とを有しており、前記第一投光素子は第一検知領域に前記第二投光素子は第二検知領域にそれぞれ光信号を送信するように構成されており、
前記制御部は、
前記第一検知領域から反射される第一反射信号及び前記第二検知領域から反射される第二反射信号に応じて出力される受信信号に基づいて、このトイレ装置がトイレ室の便座側から見て左側側壁に設けられているのか右側側壁に設けられているのかを認識し、
前記第一反射信号及び前記第二反射信号に応じて出力される受信信号に基づいて、使用者が前記第一検知領域及び前記第二検知領域のいずれに存在するかを判断し、
これらの認識結果と判断結果とに基づいて、トイレ室に設けられている便座に着座している使用者の存在有無と、前記便座に着座していない使用者の存在有無との双方を判断することを特徴とするトイレ装置。
【請求項２】
前記制御部は、前記第一反射信号に応じて出力される第一受信信号と、前記第二反射信号に応じて出力される第二受信信号とが識別可能であり、
前記第一受信信号と前記第二受信信号との差異に基づいて、このトイレ装置がトイレ室の便座側から見て左側側壁に設けられているのか右側側壁に設けられているのかを認識することを特徴とする請求項１に記載のトイレ装置。
【請求項３】
前記第一投光素子から送信される光信号と前記第二投光素子から送信される光信号との送信タイミングが互いに異なるように送信され、
前記制御部は、前記反射型センサーから出力される受信信号に基づいて使用者の存在が無いものと判断すると、前記第一受信信号が示す前記第一反射信号の信号強度と、前記第二受信信号が示す前記第二反射信号の信号強度との差異に基づいて、このトイレ装置がトイレ室の便座側から見て左側側壁に設けられているのか右側側壁に設けられているのかを認識することを特徴とする請求項２に記載のトイレ装置。
【請求項４】
前記第一投光素子から送信される光信号と前記第二投光素子から送信される光信号との送信タイミングが互いに異なるように送信され、
前記制御部は、前記第一受信信号によって使用者の存在を検知する検知回数と、前記第二受信信号によって使用者の存在を検知する検知回数との差異に基づいて、このトイレ装置がトイレ室の便座側から見て左側側壁に設けられているのか右側側壁に設けられているのかを認識することを特徴とする請求項２に記載のトイレ装置。
【請求項５】
前記反射型センサーは、横方向において前記第一検知領域と前記第二検知領域とが対称領域となるように光信号を送信しており、その対称軸は、前記反射型センサーと前記操作指示部と前記制御部とが収められている本体部の水平方向における中心を通るように構成されていることを特徴とする請求項２に記載のトイレ装置。
【請求項６】
前記第一投光素子と前記第二投光素子との間の中間位置に前記受光素子が配置されていることを特徴とする請求項２に記載のトイレ装置。
【請求項７】
前記第一投光素子及び前記第二投光素子それぞれの発光面は、水平よりも下方に向けて配置され、
前記受光素子の受光面は、水平よりも下方に向けて配置されていることを特徴とする請求項６に記載のトイレ装置。
【請求項８】
前記制御部は、前記第一投光素子及び前記第二投光素子の内、トイレ室に設けられている便座側の領域であると判断した側に光信号を送信している投光素子の消費電力を第一の消費電力として設定し、前記第一の消費電力をトイレ室に設けられている便座側の領域ではないと判断した側に光信号を送信している投光素子の消費電力よりも低く設定し、
前記便座に着座していない使用者の存在を検知すると、トイレ室に設けられている便座側の領域であると判断した側に光信号を送信している投光素子の消費電力を前記第一の消費電力よりも高く設定することを特徴とする請求項１に記載のトイレ装置。
【請求項９】
前記制御部は、前記第一投光素子及び前記第二投光素子の内、トイレ室に設けられている便座側の領域であると判断した側に光信号を送信している投光素子を第一の間欠周期で駆動し、前記第一の間欠周期をトイレ室に設けられている便座側の領域ではないと判断した側に光信号を送信している投光素子の間欠周期よりも長く設定し、
前記便座に着座していない使用者の存在を検知すると、トイレ室に設けられている便座側の領域であると判断した側に光信号を送信している投光素子を、前記第一の間欠周期よりも短い間欠周期で駆動することを特徴とする請求項８に記載のトイレ装置。
【請求項１０】
前記制御部は、前記第一投光素子及び前記第二投光素子の内、トイレ室に設けられている便座側の領域だと判断した側に光信号を送信している投光素子を、前記便座に着座していない使用者が検知されるまでは投光を停止し、前記便座に着座していない使用者が検知されると投光を開始することを特徴とする請求項９に記載のトイレ装置。
【発明の詳細な説明】
【技術分野】
【０００１】
本発明は、トイレ室の壁面に設けられるトイレ装置であって、予め定められた機能を実行する機能部における当該機能の実行を制御するトイレ装置に関する。
【背景技術】
【０００２】
トイレ室の壁面に設けられるトイレ装置であって、予め定められた機能を実行する機能部における当該機能の実行を制御するトイレ装置が制御対象とする機能部は様々なものがある。例えば、便器に水を流すためのバルブが機能部であれば、トイレ装置はバルブが有する機能である水の供給を制御すべく、バルブの開閉を制御する。また、使用者の局部を洗浄する衛生洗浄装置が機能部であれば、トイレ装置は衛生洗浄装置が有する機能である水の吐出や揺動を制御すべく、ノズルやポンプの駆動を制御する。
【０００３】
このように機能部を制御するトイレ装置は、バルブやノズルやポンプに制御信号を出力してそれらの動作を制御するものである。そのような制御信号の出力は、使用者からの操作を受け付けて行うこともあれば、使用者の位置を検知する検知センサーの検知結果に基づいて行うこともある。従って、このようなトイレ装置は、便座に座っている使用者や立っている使用者が操作をしやすい位置に取り付けられるものである。その前提で、更に検知センサーによる検知精度を高めるため、下記特許文献１に記載されているような技術が提案されている。
【先行技術文献】
【特許文献】
【０００４】
【特許文献１】特開２００２−１７３９７０号公報
【発明の概要】
【発明が解決しようとする課題】
【０００５】
上記従来の技術は、便座の開閉によって、着座使用か立位使用かを判別し、それぞれに適した検知範囲となるように検知センサーの検知エリアを切り替えている。具体的には、便座が開いている場合には立位使用であると判断して、便器の先端よりも外側の領域を検知エリアとしている。また、便座が閉じている場合には着座使用であると判断して、便器を含む領域を検知エリアとしている。このように検知エリアを切り替える技術は、便器を使用する際の使用者の横方向の位置に対応するものであるから、その限りにおいては効果的なものである。
【０００６】
ところで、上記従来の技術では、便座の開閉如何によって着座使用か立位使用かを判断しているので、便座の開閉を検知する手段が必ず必要となり、そのような便座開閉検知手段とトイレ装置との間の信号伝送路を確保する必要がある。このような信号伝送路の設置を義務付けるような構成は、必ずしも使いが手の良いものではないから、トイレ装置の光信号の送受信によって着座姿勢か立位姿勢かを判断するようなものが求められている。
【０００７】
本発明はこのような課題に鑑みてなされたものであり、その目的は、予め定められた機能を実行する機能部における当該機能の実行を制御するトイレ装置であって、光信号の送受信のみによって、着座使用及び立位使用の使用者を確実に検知することが可能なトイレ装置を提供することにある。
【課題を解決するための手段】
【０００８】
上記課題を解決するために本発明に係るトイレ装置は、トイレ室の壁面に設けられ、予め定められた機能を実行する機能部における当該機能の実行を制御するトイレ装置であって、光信号を送信する投光部と、前記投光部が送信する光信号が反射された反射信号を受信する受光部と、を有し、受信した反射信号に応じた受信信号を出力する反射型センサーと、前記機能部における機能の実行を指示する操作を受け付けて、その操作に応じた操作信号を出力する操作指示部と、前記反射型センサーから出力される受信信号に基づいて使用者の存在有りと判断すると、前記機能部における機能を実行させる一方で、その判断の結果に係らず、前記操作指示部から出力される操作信号に基づいて前記機能部における機能を実行させる制御部と、を備える。前記投光部は、横方向において異なる方向に向けて光信号を送信する第一投光素子と第二投光素子とを有しており、前記第一投光素子は第一検知領域に前記第二投光素子は第二検知領域にそれぞれ光信号を送信するように構成されている。前記制御部は、前記第一検知領域から反射される第一反射信号及び前記第二検知領域から反射される第二反射信号に応じて出力される受信信号に基づいて、このトイレ装置がトイレ室の便座側から見て左側側壁に設けられているのか右側側壁に設けられているのかを認識し、前記第一反射信号及び前記第二反射信号に応じて出力される受信信号に基づいて、使用者が前記第一検知領域及び前記第二検知領域のいずれに存在するかを判断し、これらの認識結果と判断結果とに基づいて、トイレ室に設けられている便座に着座している使用者の存在有無と、前記便座に着座していない使用者の存在有無との双方を判断する。
【０００９】
本発明に係るトイレ装置では、第一検知領域から反射される第一反射信号及び第二検知領域から反射される第二反射信号に応じて出力される受信信号に基づいて、このトイレ装置がトイレ室の便座側から見て左側側壁に設けられているのか右側側壁に設けられているのかを認識するので、トイレ装置から見て第一検知領域と第二検知領域とのいずれが便座側なのかを認識することができる。そして、第一反射信号及び第二反射信号に応じて出力される受信信号に基づいて、使用者が第一検知領域及び第二検知領域のいずれに存在するかを判断するので、使用者が立位使用なのか着座使用なのかを確実に判断することができる。このような構成により、例えば便蓋の開閉状況を検知するような手段を別途設けることなく、使用者の位置を検知するための反射型センサーを利用して、使用者が立位使用なのか着座使用なのかを確実に判断することができる。
【００１０】
また本発明に係るトイレ装置では、前記制御部は、前記第一反射信号に応じて出力される第一受信信号と、前記第二反射信号に応じて出力される第二受信信号とが識別可能であり、前記第一受信信号と前記第二受信信号との差異に基づいて、このトイレ装置がトイレ室の便座側から見て左側側壁に設けられているのか右側側壁に設けられているのかを認識することも好ましい。
【００１１】
この好ましい態様では、第一受信信号と第二受信信号とが識別可能であって、それらの差異に基づいて、このトイレ装置がトイレ室の便座側から見て左側側壁に設けられているのか右側側壁に設けられているのかを認識するので、自動処理で設置態様を認識することができる。
【００１２】
また本発明に係るトイレ装置では、前記第一投光素子から送信される光信号と前記第二投光素子から送信される光信号との送信タイミングが互いに異なるように送信され、前記制御部は、前記反射型センサーから出力される受信信号に基づいて使用者の存在が無いものと判断すると、前記第一受信信号が示す前記第一反射信号の信号強度と、前記第二受信信号が示す前記第二反射信号の信号強度との差異に基づいて、このトイレ装置がトイレ室の便座側から見て左側側壁に設けられているのか右側側壁に設けられているのかを認識することも好ましい。
【００１３】
この好ましい態様では、第一投光素子から送信される光信号と第二投光素子から送信される光信号との送信タイミングが互いに異なるように送信しているので、送信される光信号の種別を異ならせることなく、送信タイミングの調整で、第一受信信号と第二受信信号とを識別可能なものとすることができる。トイレ装置が左側側壁に取り付けられているか右側側壁に取り付けられているかは、第一受信信号が示す第一反射信号の信号強度と、第二受信信号が示す第二反射信号の信号強度との差異に基づいて判断しているので、上述した送信タイミングの調整のみで、トイレ装置の設置方向も認識することができる。
【００１４】
また本発明に係るトイレ装置では、前記第一投光素子から送信される光信号と前記第二投光素子から送信される光信号との送信タイミングが互いに異なるように送信され、前記制御部は、前記第一受信信号によって使用者の存在を検知する検知回数と、前記第二受信信号によって使用者の存在を検知する検知回数との差異に基づいて、このトイレ装置がトイレ室の便座側から見て左側側壁に設けられているのか右側側壁に設けられているのかを認識することも好ましい。
【００１５】
この好ましい態様では、第一投光素子から送信される光信号と第二投光素子から送信される光信号との送信タイミングが互いに異なるように送信しているので、送信される光信号の種別を異ならせることなく、送信タイミングの調整で、第一受信信号と第二受信信号とを識別可能なものとすることができる。トイレ装置が左側側壁に取り付けられているか右側側壁に取り付けられているかは、第一受信信号によって使用者の存在を検知する検知回数と、第二受信信号によって使用者の存在を検知する検知回数との差異に基づいて判断しているので、上述した送信タイミングの調整のみで、トイレ装置の設置方向も認識することができる。
【００１６】
また本発明に係るトイレ装置では、前記反射型センサーは、横方向において前記第一検知領域と前記第二検知領域とが対称領域となるように光信号を送信しており、その対称軸は、前記反射型センサーと前記操作指示部と前記制御部とが収められている本体部の水平方向における中心を通るように構成されていることも好ましい。
【００１７】
この好ましい態様では、反射型センサーが、横方向において第一検知領域と第二検知領域とが対称領域となるように光信号を送信しており、その対称軸は、本体部の水平方向における中心を通るように構成している。このように構成することで、トイレ装置を左側側壁に取り付けても、右側側壁に取り付けても検知性能が変化しないので、左側側壁にも右側側壁にも取り付けることができる。従って、左側側壁用のトイレ装置と右側側壁用のトイレ装置とを準備する必要が無く、一種類のトイレ装置で対応することができるので、施工作業が極めて楽なものとなる。
【００１８】
また本発明に係るトイレ装置では、前記第一投光素子と前記第二投光素子との間の中間位置に前記受光素子が配置されていることも好ましい。
【００１９】
この好ましい態様では、第一投光素子と第二投光素子との間の中間位置に受光素子を配置することで、第一投光素子から送信される光信号と第二投光素子から送信される光信号との双方を一つの受光素子で受信することができる。従って、受光素子を共用とすることで投光素子や受光素子によって占有する領域を狭めることができ、トイレ装置を容易に小型化することができる。このように、トイレ装置を小型化することで、バリアフリーの観点から取り付け位置が厳密に指定され、その許容範囲が狭くなったとしても、容易に対応することができる。
【００２０】
また本発明に係るトイレ装置では、前記第一投光素子及び前記第二投光素子それぞれの発光面は、水平よりも下方に向けて配置され、前記受光素子の受光面は、水平よりも下方に向けて配置されていることも好ましい。
【００２１】
上述したように本発明では、投光部は水平よりも下方に向けて光信号を送信するので、反射信号は下方から戻ってくることになる。そこでこの好ましい態様では、受光素子を第一投光素子及び第二投光素子よりも下側に配置することで、反射信号をより信号強度の強い光量の多い状態で受信することができ、検知性能をより向上させることができる。更に、受光素子の受光面を水平よりも下方に向けて配置しているので、下方から戻ってくる反射信号をより信号強度の強い光量の多い状態で受信することができ、検知性能をより向上させることができる。
【００２２】
また本発明に係るトイレ装置では、前記制御部は、前記第一投光素子及び前記第二投光素子の内、トイレ室に設けられている便座側の領域であると判断した側に光信号を送信している投光素子の消費電力を第一の消費電力として設定し、前記第一の消費電力をトイレ室に設けられている便座側の領域ではないと判断した側に光信号を送信している投光素子の消費電力よりも低く設定し、前記便座に着座していない使用者の存在を検知すると、トイレ室に設けられている便座側の領域であると判断した側に光信号を送信している投光素子の消費電力を、前記第一の消費電力よりも高く設定することが好ましい。
【００２３】
便器を使用する使用者は、便器から遠い側から便器に近づき、便器に設けられた便座に着座したり、便器近傍に立って用便を行ったりするものである。従って、トイレ室に設けられている便座側の領域だと判断した側に光信号を送信している投光素子が受け持つ検知領域は、他方の投光素子が受け持つ検知領域よりも後に使用者が入ってくる領域である。そこでこの好ましい態様では、トイレ室に設けられている便座側の領域であると判断した側に光信号を送信している投光素子の消費電力を、トイレ室に設けられている便座側の領域ではないと判断した側に光信号を送信している投光素子の消費電力よりも低く設定することで、消費電力を確実に抑制することができる。
【００２４】
また本発明に係るトイレ装置では、前記制御部は、前記第一投光素子及び前記第二投光素子の内、トイレ室に設けられている便座側の領域であると判断した側に光信号を送信している投光素子を第一の間欠周期で駆動し、前記第一の間欠周期をトイレ室に設けられている便座側の領域ではないと判断した側に光信号を送信している投光素子の間欠周期よりも長く設定し、前記便座に着座していない使用者の存在を検知すると、トイレ室に設けられている便座側の領域であると判断した側に光信号を送信している投光素子を、前記第一の間欠周期よりも短い間欠周期で駆動することも好ましい。
【００２５】
この好ましい態様では、トイレ室に設けられている便座側の領域であると判断した側に光信号を送信している投光素子の投光動作において、間欠動作が含まれた投光周期を第一の間欠周期として設定することができる。このように設定することで、制御部が便座に着座していない使用者の存在を検知するまで、第一の間欠周期をトイレ室に設けられている便座側の領域ではないと判断した側に光信号を送信している投光素子の間欠周期よりも長い間欠周期で駆動するように制御でき、一方では、便座に着座していない使用者の存在を検知すると、トイレ室に設けられている便座側の領域であると判断した側に光信号を送信している投光素子を、第一の間欠周期よりも短い間欠周期で駆動するように制御できるので、消費電力を確実に抑制することができる。
【００２６】
前記制御部は、前記第一投光素子及び前記第二投光素子の内、トイレ室に設けられている便座側の領域だと判断した側に光信号を送信している投光素子を、前記便座に着座していない使用者が検知されるまでは投光を停止し、前記便座に着座していない使用者が検知されると投光を開始することも好ましい。
【００２７】
上述したように本発明では、トイレ室に設けられている便座側の領域だと判断した側に光信号を送信している投光素子が受け持つ検知領域は、他方の投光素子が受け持つ検知領域よりも後に使用者が入ってくる領域である。そこでこの好ましい態様では、トイレ室に設けられている便座側の領域だと判断した側に光信号を送信している投光素子を、便座に着座していない使用者が検知されるまでは投光を停止し、便座に着座していない使用者が検知されると投光を開始することで、消費電力を確実に抑制することができる。
【発明の効果】
【００２８】
本発明によれば、予め定められた機能を実行する機能部における当該機能の実行を制御するトイレ装置であって、光信号の送受信のみによって、着座使用及び立位使用の使用者を確実に検知することが可能なトイレ装置を提供することができる。
【図面の簡単な説明】
【００２９】
【図１】本発明の実施形態である擬音発生装置をトイレ室に設けた状態を示す概略側面図である。
【図２】本発明の実施形態である擬音発生装置をトイレ室に設けた状態を示す概略平面図である。
【図３】本発明の実施形態である擬音発生装置をトイレ室に設けた状態を示す概略正面図である。
【図４】本発明の実施形態である擬音発生装置を図２の場合とは反対側の壁に設けた状態を示す概略平面図である。
【図５】本発明の実施形態である擬音発生装置の外観を示す図である。
【図６】本発明の実施形態である擬音発生装置に用いられる素子ホルダーの外観を示す図である。
【図７】本発明の実施形態である擬音発生装置の制御的な構成を示すブロック図である。
【図８】本発明の実施形態である擬音発生装置の投光素子が送信する光信号の波形を示す図である。
【図９】本発明の実施形態である擬音発生装置をトイレ室に設置する際の初期設定の手順を示すフローチャートである。
【図１０】本発明の実施形態である擬音発生装置の動作を示すフローチャートである。
【図１１】図６に示す素子ホルダーに投光素子を追加した場合の素子ホルダーの外観を示す図である。
【図１２】図１１に示す素子ホルダーを用いた場合の擬音発生装置の動作を示すフローチャートである。
【図１３】変形例としての擬音発生装置の動作を示すフローチャートである。
【図１４】変形例としての擬音発生装置の動作を示すフローチャートである。
【図１５】図１３及び図１４に示すフローチャートのうち、使用者検知フローの手順を示すフローチャートである。
【図１６】図１３及び図１４に示すフローチャートのうち、使用者検知フローの手順を示すフローチャートである。
【図１７】使用者検知フローにおいて、それぞれの投光素子が投光する光信号の間欠周期を示す説明図である。
【図１８】使用者検知フローにおいて、それぞれの投光素子が投光する光信号の間欠周期を示す他の説明図である。
【発明を実施するための形態】
【００３０】
以下、添付図面を参照しながら本発明の実施の形態について説明する。説明の理解を容易にするため、各図面において同一の構成要素に対しては可能な限り同一の符号を付して、重複する説明は省略する。
【００３１】
本発明の実施形態に係るトイレ装置としての擬音発生装置について、図１及び図２を参照しながら説明する。図１は、擬音発生装置１０をトイレ室ＴＲに取り付けた状態を示す概略側面図である。図２は、擬音発生装置１０をトイレ室ＴＲに取り付けた状態を示す概略平面図である。
【００３２】
図１及び図２に示すように、トイレ室ＴＲは、床ＦＬと、後壁ＢＷと、右側側壁ＲＷと、左側側壁ＬＷと、ドアＤＲとを有している。床ＦＬの後壁ＢＷ側には、大便器ＣＳが設置されている。大便器ＣＳには、便座ＷＳが取り付けられている。
【００３３】
左側側壁ＬＷには、ペーパーホルダーＲＰと、擬音発生装置１０（トイレ装置）とが取り付けられている。ペーパーホルダーＲＰは、トイレットペーパーを保持するためのものである。ペーパーホルダーＲＰは、大便器ＣＳのドアＤＲ側先端よりもドアＤＲ側に近寄った位置に取り付けられている。ペーパーホルダーＲＰが取り付けられている高さは、便座ＷＳ先端から約１５０ｍｍ〜４００ｍｍの高さとなっている。
【００３４】
ペーパーホルダーＲＰの上方には、擬音発生装置１０が取り付けられている。擬音発生装置１０は、使用者Ｈが便座ＷＳに着座して用便する場合に、小便が溜水に突入する際の音をマスキングするための擬音を発生する装置である。擬音発生装置１０が取り付けられている高さは、便座ＷＳ先端から約４００ｍｍ〜５５０ｍｍの高さであって、ペーパーホルダーＲＰから約１００〜２００ｍｍの高さとなっている。
【００３５】
擬音発生装置１０は、スピーカー１０１と、反射型センサー１０２と、運転スイッチ１０３（操作指示部）とを備えている。スピーカー１０１は、擬音を発生するための音声発生装置である。反射型センサー１０２は、投光素子と受光素子とを有している。反射型センサー１０２の投光素子から送信される光信号は、対象物に当たって反射し、その反射信号を受光素子が受信することで対象物存在の有無を検知している。
【００３６】
反射型センサー１０２から送信される光信号は、第一検知領域ＳＡ１と、第二検知領域ＳＡ２とに分けて送信されている。第一検知領域ＳＡ１と第二検知領域ＳＡ２とは、擬音発生装置１０の中心線ＣＬを挟んで対称な方向及び対称な形状となるように形成されている。
【００３７】
図１及び図２に示す擬音発生装置１０では、便座ＷＳに使用者Ｈ（位置Ｈ２）が着座し、着座使用している場合は、第二検知領域ＳＡ２で検知している。一方、便座ＷＳに着座せずに使用者Ｈ（位置Ｈ１）が立位使用している場合は、第一検知領域ＳＡ１で検知している。
【００３８】
反射型センサー１０２から送信される光信号は、水平方向よりも下方向（床ＦＬに向う方向）に向けて送信されている。この状態を説明するため、図３に、擬音発生装置１０をトイレ室ＴＲに取り付けた場合のドアＤＲ側から見た正面図を示す。図３に示すように、反射型センサー１０２から送信される光信号は、水平基準線ＨＬよりも床ＦＬ側に向けて下向きに送信している。従って、第一検知領域ＳＡ１及び第二検知領域ＳＡ２は、水平基準線ＨＬよりも下側に広がるように形成されている。このように第一検知領域ＳＡ１及び第二検知領域ＳＡ２を下向きに形成することで、便座ＷＳに着座している使用者Ｈ（位置Ｈ２）を確実に検知することができる。
【００３９】
擬音発生装置１０は、右側側壁ＲＷに取り付けることも可能である。擬音発生装置１０をトイレ室ＴＲの右側側壁ＲＷに取り付けた状態を図４に示す。図４に示すように、擬音発生装置１０を右側側壁ＲＷに取り付けると、便座ＷＳに使用者Ｈ（位置Ｈ２）が着座し、着座使用している場合は、第一検知領域ＳＡ１で検知する。一方、便座ＷＳに着座せずに使用者Ｈ（位置Ｈ１）が立位使用している場合は、第二検知領域ＳＡ２で検知する。
【００４０】
続いて、本実施形態の擬音発生装置１０の外観を図５に示す。図５に示すように、擬音発生装置１０は、本体部１０Ｂに、スピーカー１０１と、反射型センサー１０２と、運転スイッチ１０３とが設けられている。反射型センサー１０２は、本体部１０Ｂの中心線ＣＬを跨ぐ位置に設けられている。
【００４１】
反射型センサー１０２は、第一投光素子１０２ａと、第二投光素子１０２ｂと、受光素子１０２ｃとを有している。第一投光素子１０２ａと第二投光素子１０２ｂとは、本体部１０Ｂの中心線ＣＬを跨いで対称な位置に配置されている。受光素子１０２ｃは、本体部１０Ｂの中心線ＣＬ上に配置されている。
【００４２】
図６に、反射型センサー１０２に用いられる素子ホルダー１０２ｈを示す。図６に示すように、第一投光素子１０２ａは、取付穴１０２ａａに取り付けられている。同様に、第二投光素子１０２ｂは取付穴１０２ｂａに、受光素子１０２ｃは取付穴１０２ｃａに、それぞれ取り付けられている。本実施形態の場合、第一投光素子１０２ａ及び第二投光素子１０２ｂは、水平基準線ＨＬ（図２参照）から下方に約２０度の方向を向くように取り付けられている。また、第一投光素子１０２ａ及び第二投光素子１０２ｂは、中心線ＣＬに対してそれぞれが外側に約２３度開いた方向を向くように取り付けられている。
【００４３】
また、受光素子１０２ｃは、第一投光素子１０２ａと第二投光素子１０２ｂとの間の中間位置であって、第一投光素子１０２ａ及び第二投光素子１０２ｂよりは下方に配置されている。受光素子１０２ｃは、その受光面が下方を向いて、第一投光素子１０２ａ及び第二投光素子１０２ｂから送信される光信号が反射した反射信号を受信しやすいように配置されている。
【００４４】
続いて図７に、本実施形態の擬音発生装置１０の制御的な構成を示すブロック図を示す。図７に示すように、擬音発生装置１０は、制御部としてのＣＰＵ１０４と、運転スイッチ１０３と、受光素子１０２ｃと、第一投光素子１０２ａと、第二投光素子１０２ｂと、スピーカー１０１とを備えている。
【００４５】
操作指示部としての運転スイッチ１０３を使用者Ｈが操作すると、その操作に応じた操作指示信号がＣＰＵ１０４に出力される。本実施形態の場合、操作指示信号は擬音発生の停止なので、ＣＰＵ１０４は、スピーカー１０１からの擬音発生を停止させる。
【００４６】
ＣＰＵ１０４は、第一投光素子１０２ａ及び第二投光素子１０２ｂから光信号を送信させる。この光信号は対象物としての使用者Ｈや大便器ＣＳや便座ＷＳに当たって反射し、その反射に伴って反射信号が受光素子１０２ｃへと向う。受光素子１０２ｃは、反射信号を受信すると、その反射信号に応じた受信信号をＣＰＵ１０４に出力する。
【００４７】
第一投光素子１０２ａ及び第二投光素子１０２ｂから送信される光信号の波形を図８に示す。図８に示すように、第一投光素子から送信される光信号と、第二投光素子から送信される光信号とは、周期がずれており、同時に送信しても判別可能なように構成されている。
【００４８】
続いて、本実施形態に係る擬音発生装置１０をトイレ室ＴＲに取り付ける際の初期設定について図９を参照しながら説明する。図９は、擬音発生装置１０をトイレ室ＴＲに設置する際の初期設定の手順を示すフローチャートである。
【００４９】
ステップＳ０１では、トイレ室ＴＲに擬音発生装置１０を取り付ける。具体的には、図１〜図３に示すようにトイレ室ＴＲの左側側壁ＬＷに取り付けても、図４に示すようにトイレ室ＴＲの右側側壁ＲＷに取り付けてもよい。
【００５０】
ステップＳ０１に続くステップＳ０２では、複数の検知領域に各投光素子からそれぞれ異なる光信号を送信する。具体的には、第一投光素子１０２ａ及び第二投光素子１０２ｂから、図８に例示したような光信号を送信する。第一投光素子１０２ａ及び第二投光素子１０２ｂから送信された光信号は、反射されて反射信号となり受光素子１０２ｃがそれを受信する。
【００５１】
擬音発生装置１０が、図１〜図３に示すようにトイレ室ＴＲの左側側壁ＬＷに取り付けられていれば、第一投光素子１０２ａから送信された光信号に対する反射信号の信号強度（光量）よりも、第二投光素子１０２ｂから送信された光信号に対する反射信号の信号強度（光量）が大きくなる。第二投光素子１０２ｂが送信する光信号が照射される第二検知領域ＳＡ２側に大便器ＣＳ及び便座ＷＳがある一方、第一投光素子１０２ａが送信する光信号が照射される第一検知領域ＳＡ１側にはそのような機器類が配置されていないためである。
【００５２】
一方、擬音発生装置１０が、図４に示すようにトイレ室ＴＲの右側側壁ＲＷに取り付けられていれば、第二投光素子１０２ｂから送信された光信号に対する反射信号の信号強度（光量）よりも、第一投光素子１０２ａから送信された光信号に対する反射信号の信号強度（光量）が大きくなる。第一投光素子１０２ａが送信する光信号が照射される第一検知領域ＳＡ１側に大便器ＣＳ及び便座ＷＳがある一方、第二投光素子１０２ｂが送信する光信号が照射される第二検知領域ＳＡ２側にはそのような機器類が配置されていないためである。
【００５３】
このような背景を利用して、ステップＳ０２に続くステップＳ０３では、送信された光信号の反射量（反射信号の信号強度）が大きいのが、第一検知領域ＳＡ１であるか否か判断する。送信された光信号の反射量（反射信号の信号強度）が大きいのが、第一検知領域ＳＡ１であれば、ステップＳ０４の処理に進み、第二検知領域ＳＡ２であれば、ステップＳ０７の処理に進む。
【００５４】
ステップＳ０４では、第一検知領域ＳＡ１に大便器ＣＳ及び便座ＷＳがあり、それらから光信号が反射され反射信号が戻ってきていると判断する。ステップＳ０４に続くステップＳ０５では、第一投光素子１０２ａが送信する光信号が照射される第一検知領域ＳＡ１側に大便器ＣＳ及び便座ＷＳがあり、第二投光素子１０２ｂが送信する光信号が照射される第二検知領域ＳＡ２側にドアＤＲがあるものと判断する。
【００５５】
ステップＳ０５に続くステップＳ０６では、第一検知領域ＳＡ１側に大便器ＣＳ及び便座ＷＳがあり、第二検知領域ＳＡ２側にドアＤＲがあるものとして、それぞれの反射信号の強度を反射量閾値として学習する。
【００５６】
一方、ステップＳ０７では、第二検知領域ＳＡ２に大便器ＣＳ及び便座ＷＳがあり、それらから光信号が反射され反射信号が戻ってきていると判断する。ステップＳ０７に続くステップＳ０８では、第二投光素子１０２ｂが送信する光信号が照射される第二検知領域ＳＡ２側に大便器ＣＳ及び便座ＷＳがあり、第一投光素子１０２ａが送信する光信号が照射される第一検知領域ＳＡ１側にドアＤＲがあるものと判断する。
【００５７】
ステップＳ０８に続くステップＳ０９では、第二検知領域ＳＡ２側に大便器ＣＳ及び便座ＷＳがあり、第一検知領域ＳＡ１側にドアＤＲがあるものとして、それぞれの反射信号の強度を反射量閾値として学習する。
【００５８】
続いて、本実施形態に係る擬音発生装置１０の動作について、図１０を参照しながら説明する。図１０は、擬音発生装置１０の動作を示すフローチャートである。尚、図１０に示すフローチャートは、図９の初期設定を行った結果、第二検知領域ＳＡ２側に大便器ＣＳ及び便座ＷＳがあり、第一検知領域ＳＡ１側にドアＤＲがある場合（図１〜図３参照）について説明している。
【００５９】
ステップＳ１１では、第一投光素子１０２ａから光信号の送信を行う一方で、第二投光素子１０２ｂからの光信号の送信は停止している。第二検知領域ＳＡ２側に大便器ＣＳ及び便座ＷＳがあり、第一検知領域ＳＡ１側にドアＤＲがある場合、使用者Ｈは第一検知領域ＳＡ１側から大便器ＣＳに近づくことになるので、第一検知領域ＳＡ１のみを有効検知領域としている。
【００６０】
ステップＳ１１に続くステップＳ１２では、第一検知領域ＳＡ１からの反射量が変化したか判断する。具体的には、初期設定の際に学習した反射量閾値に対して、第一投光素子１０２ａから送信される光信号に対する反射信号の信号強度が超えているか判断する。第一検知領域ＳＡ１からの反射量が変化しなければステップＳ１２の処理を繰り返し、第一検知領域ＳＡ１からの反射量が変化していればステップＳ１３の処理に進む。
【００６１】
ステップＳ１３では、スピーカー１０１から擬音を発生させる。ステップＳ１３に続くステップＳ１４では、第二投光素子１０２ｂからも光信号の送信を開始する。ステップＳ１４に続くステップＳ１５では、第二検知領域ＳＡ２からの反射量が変化したか判断する。具体的には、初期設定の際に学習した反射量閾値に対して、第二投光素子１０２ｂから送信される光信号に対する反射信号の信号強度が超えているか判断する。第二検知領域ＳＡ２からの反射量が変化しなければステップＳ２２の処理に進み、第二検知領域ＳＡ２からの反射量が変化していればステップＳ１６の処理に進む。
【００６２】
ステップＳ２２では、使用者Ｈは位置Ｈ１（図１参照）において立位使用しているものと判断し、ステップＳ１９の処理に進む。
【００６３】
ステップＳ１６では、使用者Ｈは位置Ｈ２（図１参照）において着座使用しているものと判断し、ステップＳ１７の処理に進む。
【００６４】
ステップＳ１６に続くステップＳ１７では、初期設定の際に学習した反射量閾値に対して、第二投光素子１０２ｂから送信される光信号に対する反射信号の信号強度が下回っているか判断する。第二投光素子１０２ｂから送信される光信号に対する反射信号の信号強度が下回っていれば、ステップＳ１８の処理に進み、下回っていなければステップＳ１７の処理を継続する。
【００６５】
このステップＳ１７の処理は、使用者Ｈが位置Ｈ２から立ち去ったか否かを判断するステップである。従って、使用者Ｈの用便が終了したものと判断できる処理で代替可能である。例えば、所定時間の経過を条件として、ステップＳ１８の処理に進むことも好ましいものである。
【００６６】
ステップＳ１８では、第一検知領域ＳＡ１からの反射量が変化したか判断する。具体的には、初期設定の際に学習した反射量閾値に対して、第一投光素子１０２ａから送信される光信号に対する反射信号の信号強度が超えているか判断する。第一検知領域ＳＡ１からの反射量が変化しなければステップＳ１８の処理を繰り返し、第一検知領域ＳＡ１からの反射量が変化していればステップＳ１９の処理に進む。このステップＳ１８の処理は、使用者Ｈが位置Ｈ１に留まっているか否かを判断するものである。
【００６７】
ステップＳ１９では、初期設定の際に学習した反射量閾値に対して、第一投光素子１０２ａから送信される光信号に対する反射信号の信号強度が下回っているか判断する。第一投光素子１０２ａから送信される光信号に対する反射信号の信号強度が下回っていれば、ステップＳ２０の処理に進み、下回っていなければステップＳ１９の処理を継続する。
【００６８】
このステップＳ１９の処理は、使用者Ｈが位置Ｈ１から立ち去ったか否かを判断するステップである。従って、使用者Ｈが立ち去ったものと判断できる処理で代替可能である。例えば、所定時間の経過を条件として、ステップＳ２０の処理に進むことも好ましいものである。
【００６９】
ステップＳ２０では、第二投光素子１０２ｂからの光信号の送信を停止する。ステップＳ２０に続くステップＳ２１では、スピーカー１０１からの擬音の発生を停止する。
【００７０】
上述した実施形態では、投光素子として、第一投光素子１０２ａ及び第二投光素子１０２ｂの二つの素子を用いている。投光素子の数は二つに限られるものではなく、第一検知領域ＳＡ１と第二検知領域ＳＡ２との間の隙間が発生することを防止するため、投光素子の数を増やすことも好ましいものである。図１１に、第三投光素子１０２ｄを設けた素子ホルダー２０２ｈを示す。
【００７１】
図１１に示すように、第三投光素子１０２ｄは、第一投光素子１０２ａと第二投光素子１０２ｂとの間であって、受光素子１０２ｃの上方に配置されている。第三投光素子１０２ｄは、取付穴１０２ａａと取付穴１０２ｂａとの間の取付穴１０２ｄａに取り付けられている。第三投光素子１０２ｄも、第一投光素子１０２ａ及び第二投光素子１０２ｂと同様に、下方に向けて取り付けられている。
【００７２】
このように投光素子を三つにした場合の、擬音発生装置１０の動作について図１２を参照しながら説明する。尚、図１２に示すフローチャートは、図９の初期設定を行った結果、第二検知領域ＳＡ２側に大便器ＣＳ及び便座ＷＳがあり、第一検知領域ＳＡ１側にドアＤＲがある場合（図１〜図３参照）について説明している。
【００７３】
ステップＳ３１では、第一投光素子１０２ａから光信号の送信を行う一方で、第二投光素子１０２ｂ及び第三投光素子１０２ｄからの光信号の送信は停止している。第二検知領域ＳＡ２側に大便器ＣＳ及び便座ＷＳがあり、第一検知領域ＳＡ１側にドアＤＲがある場合、使用者Ｈは第一検知領域ＳＡ１側から大便器ＣＳに近づくことになるので、第一検知領域ＳＡ１のみを有効検知領域としている。
【００７４】
ステップＳ３１に続くステップＳ３２では、第一検知領域ＳＡ１からの反射量が変化したか判断する。具体的には、初期設定の際に学習した反射量閾値に対して、第一投光素子１０２ａから送信される光信号に対する反射信号の信号強度が超えているか判断する。第一検知領域ＳＡ１からの反射量が変化しなければステップＳ３２の処理を繰り返し、第一検知領域ＳＡ１からの反射量が変化していればステップＳ３３の処理に進む。
【００７５】
ステップＳ３３では、スピーカー１０１から擬音を発生させる。ステップＳ３３に続くステップＳ３４では、第二投光素子１０２ｂ及び第三投光素子１０２ｄからも光信号の送信を開始する。ステップＳ３４に続くステップＳ３５では、第二検知領域ＳＡ２及び第三検知領域（第三投光素子１０２ｄが光信号を照射する領域）からの反射量が変化したか判断する。具体的には、初期設定の際に学習した反射量閾値に対して、第二投光素子１０２ｂ及び第三投光素子１０２ｄから送信される光信号に対する反射信号の信号強度が、反射量閾値を超えているか判断する。第二検知領域ＳＡ２及び第三検知領域からの反射量が変化しなければステップＳ４２の処理に進み、第二検知領域ＳＡ２及び第三検知領域からの反射量が変化していればステップＳ３６の処理に進む。
【００７６】
ステップＳ４２では、使用者Ｈは位置Ｈ１（図１参照）において立位使用しているものと判断し、ステップＳ３９の処理に進む。
【００７７】
ステップＳ３６では、使用者Ｈは位置Ｈ２（図１参照）において着座使用しているものと判断し、ステップＳ３７の処理に進む。
【００７８】
ステップＳ３６に続くステップＳ３７では、初期設定の際に学習した反射量閾値に対して、第二投光素子１０２ｂ及び第三投光素子１０２ｄから送信される光信号に対する反射信号の信号強度が下回っているか判断する。第二投光素子１０２ｂ第三投光素子１０２ｄから送信される光信号に対する反射信号の信号強度が下回っていれば、ステップＳ３８の処理に進み、下回っていなければステップＳ３７の処理を継続する。
【００７９】
このステップＳ３７の処理は、使用者Ｈが位置Ｈ２から立ち去ったか否かを判断するステップである。従って、使用者Ｈの用便が終了したものと判断できる処理で代替可能である。例えば、所定時間の経過を条件として、ステップＳ３８の処理に進むことも好ましいものである。
【００８０】
ステップＳ３８では、第一検知領域ＳＡ１からの反射量が変化したか判断する。具体的には、初期設定の際に学習した反射量閾値に対して、第一投光素子１０２ａから送信される光信号に対する反射信号の信号強度が超えているか判断する。第一検知領域ＳＡ１からの反射量が変化しなければステップＳ３８の処理を繰り返し、第一検知領域ＳＡ１からの反射量が変化していればステップＳ３９の処理に進む。このステップＳ３８の処理は、使用者Ｈが位置Ｈ１に留まっているか否かを判断するものである。
【００８１】
ステップＳ３９では、初期設定の際に学習した反射量閾値に対して、第一投光素子１０２ａから送信される光信号に対する反射信号の信号強度が下回っているか判断する。第一投光素子１０２ａから送信される光信号に対する反射信号の信号強度が下回っていれば、ステップＳ４０の処理に進み、下回っていなければステップＳ３９の処理を継続する。
【００８２】
このステップＳ３９の処理は、使用者Ｈが位置Ｈ１から立ち去ったか否かを判断するステップである。従って、使用者Ｈが立ち去ったものと判断できる処理で代替可能である。例えば、所定時間の経過を条件として、ステップＳ４０の処理に進むことも好ましいものである。
【００８３】
ステップＳ４０では、第二投光素子１０２ｂ第三投光素子１０２ｄからの光信号の送信を停止する。ステップＳ４０に続くステップＳ４１では、スピーカー１０１からの擬音の発生を停止する。
【００８４】
このように、上述した擬音発生装置１０によれば、該擬音発生装置１０の設置位置及び使用者Ｈの存在の有無を、投光素子１０２ａ，１０２ｂから送信される光信号に対する反射信号の信号強度によって判断した。
【００８５】
通常トイレ室ＴＲを使用する使用者Ｈは、必ずしも便座ＷＳに着座するとは限らないので、第一検知領域ＳＡ１及び第二検知領域ＳＡ２の内、便座ＷＳが設けられていない側の検知領域で使用者Ｈが検知される検知回数は、便座ＷＳが設けられている側の検知領域で使用者Ｈが検知される検知回数より多くなるものである。従って、この両者の検知回数の差に基づいて、擬音発生装置の設置位置及び使用者Ｈの存在の有無を判断することも可能である。このように動作する擬音発生装置の変形例を図１３〜１７に示す。
【００８６】
図１３及び図１４は、変形例としての擬音発生装置（図示せず）をトイレ室ＴＲに取り付ける際の初期設定及びその後の動作を示すフローチャートであり、図１５及び図１６は、かかるフローチャートのうち、使用者検知フローを示すフローチャートである。尚、擬音発生装置は、図７に示す各要素１０１，１０２ａ，１０２ｂ，１０２ｃ，１０３，１０４を含むものであり、かかるフローチャートは、変形例としての擬音発生装置のＣＰＵ（制御部）が図７に示す各要素及びメモリ（図示せず）と協働して実行するものである。
【００８７】
ステップＳ５１では、トイレ室ＴＲに擬音発生装置を取り付ける。具体的には、図１〜図３に示すようにトイレ室ＴＲの左側側壁ＬＷに取り付けても、図４に示すようにトイレ室ＴＲの右側側壁ＲＷに取り付けてもよい。
【００８８】
ステップＳ５２では、擬音発生装置の初期設定の有無を、学習済フラグを確認することで判断する。それぞれの検知領域ＳＡ１，ＳＡ２で使用者Ｈの存在を検知した回数に基づいて、擬音発生装置がトイレ室ＴＲの便座ＷＳ側から見て左側側壁ＬＷに設けられているのか、右側側壁ＲＷに設けられているのかを学習すれば、初期設定が完了しているとして、学習済フラグが立つように設定されている。初期設定が済んでいなければ、ステップＳ５３の処理へ進み、初期設定が済んでいれば、使用者検知フロー（ステップＳ７１）の処理に進む。
【００８９】
ステップＳ５２に続くステップＳ５３では、複数の検知領域ＳＡ１，ＳＡ２に各投光素子１０２ａ，１０２ｂからそれぞれ異なる光信号を送信する。具体的には、第一投光素子１０２ａ及び第二投光素子１０２ｂから、図８に例示したような光信号を送信する。第一投光素子１０２ａ及び第二投光素子１０２ｂから送信された光信号は、対象物である使用者Ｈに反射されて反射信号となり受光素子１０２ｃがそれを受信し、その反射信号に応じた受信信号を出力する。
【００９０】
ステップＳ５４では、いずれの検知領域ＳＡ１，ＳＡ２において、使用者Ｈを検知したかを判断する。使用者Ｈを検知するまでこの処理が繰り返され、使用者Ｈを検知するとステップＳ５５の処理に進む。ステップＳ５５では、スピーカー１０１から擬音を発生させる。
【００９１】
擬音発生装置が、図１〜図３に示すようにトイレ室ＴＲの左側側壁ＬＷに取り付けられていれば、第一検知領域ＳＡ１側にドアＤＲが配置され、第二検知領域ＳＡ２側に大便器ＣＳ及び便座ＷＳが配置されることになるので、使用者Ｈが第二検知領域ＳＡ２で検知される回数よりも、第一検知領域ＳＡ１で検知される回数が多くなる。これは、受光素子１０２ｃが、第二投光素子１０２ｂから送信された光信号に対する反射信号を受信し、その反射信号に応じた受信信号を出力する回数よりも、第一投光素子１０２ａから送信された光信号に対する反射信号を受信し、その反射信号に応じた受信信号を出力する回数が多くなるためである。
【００９２】
一方、擬音発生装置が、図４に示すようにトイレ室ＴＲの右側側壁ＲＷに取り付けられていれば、第一検知領域ＳＡ１側に大便器ＣＳ及び便座ＷＳが配置され、第二検知領域ＳＡ２側にドアが配置されることになるので、使用者Ｈが第一検知領域ＳＡ１で検知される回数よりも、第二検知領域ＳＡ２で検知される回数が多くなる。これは、受光素子１０２ｃが、第一投光素子１０２ａから送信された光信号に対する反射信号を受信し、その反射信号に応じた受信信号を出力する回数よりも、第二投光素子１０２ｂから送信された光信号に対する反射信号を受信し、その反射信号に応じた受信信号を出力する回数が多くなるためである。
【００９３】
このような背景を利用して、ステップＳ５５に続くステップＳ５６では、使用者Ｈが第一検知領域ＳＡ１に存在するかを判断する。使用者Ｈが、第一検知領域ＳＡ１に存在するのであれば、ステップＳ５７の処理に進み、第二検知領域ＳＡ２に存在するのであれば、ステップＳ５８の処理に進む。
【００９４】
ステップＳ５７では、第一検知領域ＳＡ１で使用者Ｈの存在を検知した回数として、現在の検知回数（第一検知カウンタ）Ａ１の値に１を加算し、ステップＳ５９の処理に進む。
【００９５】
一方、ステップＳ５８では、第二検知領域ＳＡ２で使用者Ｈの存在を検知した回数として、現在の検知回数（第二検知カウンタ）Ａ２の値に１を加算し、ステップＳ５９の処理に進む。
【００９６】
ステップＳ５９では、いずれの検知領域ＳＡ１，ＳＡ２にも使用者Ｈが存在しないことを検知したか判断する。いずれの検知領域ＳＡ１，ＳＡ２にも使用者Ｈが存在しないことを検知するまで、ステップＳ５６の処理に戻り、いずれの検知領域ＳＡ１，ＳＡ２にも使用者Ｈが存在しないことを検知すると、使用者Ｈはトイレ室ＴＲに留まっていないことになるので、ステップＳ６０の処理に進む。
【００９７】
ステップＳ５９に続くステップＳ６０では、スピーカー１０１からの擬音を停止させる。ステップＳ６１では、それぞれの検知領域ＳＡ１，ＳＡ２において使用者Ｈを検知した回数が、予め設定されている閾値回数Ａ以上かを判断する。それぞれの検知領域ＳＡ１，ＳＡ２において使用者Ｈを検知した回数が、予め設定されている閾値回数Ａ以上となるまで、使用者の検知を繰り返し（ステップＳ５２に戻る）、それぞれの検知領域ＳＡ１，ＳＡ２において使用者Ｈを検知した回数が、予め設定されている閾値回数Ａ以上であれば、ステップＳ６２の処理に進む。
【００９８】
ステップＳ６２では、第一検知領域ＳＡ１で使用者Ｈを検知した回数と、第二検知領域ＳＡ２で使用者Ｈを検知した回数とを比較し、いずれの検知回数が多いかを判断する。第一検知領域ＳＡ１で使用者Ｈを検知した回数が、第二検知領域ＳＡ２で使用者Ｈを検知した回数よりも多いのであれば、ステップＳ６３の処理に進む。一方、第二検知領域ＳＡ２で使用者を検知した回数が、第一検知領域ＳＡ１で使用者を検知した回数よりも多いのであれば、ステップＳ６４の処理に進む。
【００９９】
ステップＳ６２に続くステップＳ６３では、第一検知領域ＳＡ１にドアＤＲがあり、第二検知領域ＳＡ２に大便器ＣＳ及び便座ＷＳがあると学習する。このように、擬音発生装置がトイレ室ＴＲの便座ＷＳ側から見て左側側壁ＬＷに設けられていることを認識すると、ステップＳ６５の処理に進む。
【０１００】
一方、ステップＳ６４では、第二検知領域ＳＡ２にドアＤＲがあり、第一検知領域ＳＡ１に大便器ＣＳ及び便座ＷＳがあると学習する。このように、擬音発生装置がトイレ室ＴＲの便座ＷＳ側から見て右側側壁ＲＷに設けられていることを認識すると、ステップＳ６５の処理に進む。
【０１０１】
ステップＳ６５では、学習済フラグを立てる。
【０１０２】
擬音発生装置の初期設定が完了すると、擬音発生装置を使用する動作が開始する。尚、ステップＳ７１以降に示す各ステップの処理は、ステップＳ５１からステップＳ６５の処理を実行して初期設定を行った結果、第二検知領域ＳＡ２側に大便器ＣＳ及び便座ＷＳがあり、第一検知領域ＳＡ１側にドアＤＲがある場合（図１〜図３参照）について説明している。図１５〜図１８を参照しながら、説明する。
【０１０３】
ステップＳ７１では、第二投光素子１０２ｂの消費電力を第一の消費電力に設定し、この第一の消費電力を第一投光素子１０２ａの消費電力よりも低く設定する。第二検知領域ＳＡ２側に大便器ＣＳ及び便座ＷＳがあり、第一検知領域ＳＡ１側にドアＤＲがある場合、使用者Ｈは第一検知領域ＳＡ１側から大便器ＣＳに近づくことになるので、第一検知領域ＳＡ１のみを有効検知領域としている。
【０１０４】
このように、第二投光素子１０２ｂを第一投光素子１０２ａよりも低い消費電力に設定するための具体的な方法としては、第一投光素子１０２ａから光信号の送信を行う一方で、第二投光素子１０２ｂからの光信号の送信を停止する。これによれば、第二投光素子１０２ｂの消費電力（第一の消費電力）は零に設定され、第一投光素子１０２ａの消費電力よりも低い消費電力が設定されることになる。
【０１０５】
また他の方法としては、図１７に示すように、第二投光素子１０２ｂからの光信号を構成する１周期Ｔ２あたりのＯＮ時間Ｔ２onが、第一投光素子１０２ａからの光信号を構成する１周期Ｔ１あたりのＯＮ時間Ｔ１onよりも短くなるように設定し（Ｔ１＝Ｔ２，Ｔ２on＜Ｔ１on）、第二投光素子１０２ｂからも光信号を送信してもよい。
【０１０６】
さらに、図１８に示すように、第二投光素子１０２ｂからの光信号を構成する周期Ｔ２（第一の間欠周期）が、第一投光素子１０２ａからの光信号を構成する周期Ｔ１よりも長くなるように設定し（Ｔ１＜Ｔ２，Ｔ１on＝Ｔ２on）、第二投光素子１０２ｂからも光信号を送信してもよい。
【０１０７】
これらによれば、第二投光素子１０２ｂの消費電力（第一の消費電力）は所定値Ｐに設定されるとともに第一投光素子１０２ａの消費電力よりも低く設定される。なお、第一投光素子１０２ａからの光信号と第二投光素子１０２ｂからの光信号は、お互いの送信開始タイミングが異なるように設定されている。
【０１０８】
ステップＳ７１に続くステップＳ７２では、第一検知領域ＳＡ１で使用者Ｈの存在を検知したか判断する。具体的には、受光素子１０２ｃが第一投光素子１０２ａから送信された光信号に対する反射信号を受信し、その反射信号に応じた受信信号を出力したかを判断する。この処理は、第一検知領域ＳＡ１で使用者Ｈの存在を検知するまで繰り返し、第一検知領域ＳＡ１で使用者Ｈの存在を検知すると、ステップＳ７３の処理に進む。
【０１０９】
ステップＳ７３では、第一検知領域ＳＡ１で使用者Ｈの存在を検知した回数として、現在の検知回数（第一検知カウンタ）Ａ１の値に１を加算し、ステップＳ７４の処理に進む。ステップＳ７４では、スピーカー１０１から擬音を発生させる。
【０１１０】
ステップＳ７４に続くステップＳ７５では、第二投光素子１０２ｂの消費電力をステップＳ７１で設定した消費電力（第一の消費電力）よりも高くなるように設定し、第二投光素子１０２ｂからも光信号を送信する。具体的な方法としては、第二投光素子１０２ｂからも、図８に示すような光信号を送信する。
【０１１１】
また他の方法としては、図１７に示すように、第二投光素子１０２ｂからの光信号を構成する１周期Ｔ３あたりのＯＮ時間Ｔ３onが、第二投光素子１０２ｂからの光信号を構成する１周期Ｔ２あたりのＯＮ時間Ｔ２onよりも長くなるように設定する（Ｔ２on＜Ｔ３on，Ｔ２＝Ｔ３）。このとき、第二投光素子１０２ｂからの光信号を構成する１周期Ｔ３あたりのＯＮ時間Ｔ３onは、第一投光素子１０２ａからの光信号を構成する１周期Ｔ１あたりのＯＮ時間Ｔ１onと同じ長さ、又はＯＮ時間Ｔ１onより短くなるように設定してもよい（Ｔ２on＜Ｔ３on≦Ｔ１on，Ｔ１＝Ｔ２＝Ｔ３）。
【０１１２】
さらに他の方法としては、図１８に示すように、第二投光素子１０２ｂからの光信号を構成する間欠動作の周期Ｔ３が、周期Ｔ２よりも短くなるように設定する（Ｔ３＜Ｔ２，Ｔ２on＝Ｔ３on）。このとき、第二投光素子１０２ｂからの光信号を構成する周期Ｔ３は、第一投光素子１０２ａからの光信号を構成する周期Ｔ１と同じ長さの周期に、又は、周期Ｔ１より長くなるように設定してもよい（Ｔ１≦Ｔ３＜Ｔ２，Ｔ１on＝Ｔ２on＝Ｔ３on）。
【０１１３】
これらによれば、第二投光素子１０２ｂは、その消費電力が、第一投光素子１０２ａの消費電力を超えないように制御される。
【０１１４】
ステップＳ７５に続くステップＳ７６では、第二検知領域ＳＡ２で使用者Ｈの存在を検知したか判断する。具体的には、受光素子１０２ｃが第二投光素子１０２ｂから送信された光信号に対する反射信号を受信し、その反射信号に応じた受信信号を出力したかを判断する。第二検知領域ＳＡ２で使用者Ｈの存在を検知すると、ステップＳ７７の処理に進み、一方、第二検知領域ＳＡ２ではなく、第一検知領域ＳＡ１で使用者Ｈの存在を検知すると、ステップＳ８６の処理に進む。
【０１１５】
ステップＳ７７では、使用者Ｈは第二検知領域ＳＡ２を使用していると判断する。一方、ステップＳ８６では、使用者Ｈは第一検知領域ＳＡ１を使用していると判断する。
【０１１６】
ステップＳ７７に続くステップＳ７８では、第二検知領域ＳＡ２で使用者Ｈの存在を検知した回数として、現在の検知回数（第二検知カウンタ）Ａ２の値に１を加算し、ステップＳ７９の処理に進む。
【０１１７】
ステップＳ７８に続くステップＳ７９では、第二検知領域ＳＡ２で使用者Ｈを検知していないか判断する。第二検知領域ＳＡ２で使用者Ｈを検知していないと判断するまでこの処理を繰り返し、第二検知領域ＳＡ２で使用者Ｈを検知していないと判断すると、ステップＳ７５の処理に進む。
【０１１８】
ステップＳ７９に続くステップＳ８０では、第一検知領域ＳＡ１で使用者Ｈの存在を検知したか判断する。具体的には、受光素子１０２ｃが第一投光素子１０２ａから送信された光信号に対する反射信号を受信し、その反射信号に応じた受信信号を出力したかを判断する。第一検知領域ＳＡ１で使用者Ｈの存在を検知するまでこの処理を繰り返し、第一検知領域ＳＡ１で使用者Ｈの存在を検知すると、ステップＳ８１の処理に進む。
【０１１９】
ステップＳ８０に続くステップＳ８１では、第一検知領域ＳＡ１で使用者Ｈの存在を検知した回数として、現在の検知回数（第一検知カウンタ）Ａ１の値に１を加算し、ステップＳ８２の処理に進む。
【０１２０】
ステップＳ８１に続くステップＳ８２では、第一検知領域ＳＡ１で使用者Ｈを検知していないか判断する。第一検知領域ＳＡ１で使用者Ｈを検知していないと判断するまでステップＳ７６の処理に戻って使用者Ｈを検知する処理を繰り返し、第一検知領域ＳＡ１で使用者Ｈを検知していないと判断すると、使用者Ｈがトイレ室ＴＲにはいないと判断するので、ステップＳ８３の処理に進む。
【０１２１】
ステップＳ８２に続くステップＳ８３では、第二投光素子１０２ｂの消費電力を第一の消費電力に設定し、この第一の消費電力を第一投光素子１０２ａの消費電力よりも低く設定する。具体的には、第二投光素子１０２ｂからの光信号の送信を停止し、第二投光素子１０２ｂからの光信号を構成する１周期Ｔ２あたりのＯＮ時間Ｔ２onが、第一投光素子１０２ａからの光信号を構成する１周期Ｔ１あたりのＯＮ時間Ｔ１onよりも短くなるように設定し、又は、第二投光素子１０２ｂからの光信号を構成する間欠動作の周期Ｔ２（第一の間欠周期）が第一投光素子１０２ａからの光信号を構成する間欠動作の周期Ｔ１よりも長くなるように設定する。
【０１２２】
ステップＳ８４では、スピーカー１０１からの擬音を停止させる。
【０１２３】
ステップＳ８５では、それぞれの検知領域において使用者を検知した回数が、予め設定されている閾値回数Ａ以上かを判断する。それぞれの検知領域において使用者を検知した回数が、予め設定されている閾値回数Ａ以上となるまで、使用者の検知を繰り返し（ステップＳ５２に戻る）、それぞれの検知領域において使用者を検知した回数が、予め設定されている閾値回数Ａ以上であれば、ステップＳ６２の処理に戻る。この処理は、擬音発生装置の取り付け位置を定期的に再確認するものである。
【０１２４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１２５】
ＴＲ：トイレ室
ＤＲ：ドア
ＦＬ：床
ＢＷ：後壁
ＲＷ：右側側壁
ＬＷ：左側側壁
ＣＳ：大便器
ＷＳ：便座
ＲＰ：ペーパーホルダー
Ｈ：使用者
１０：擬音発生装置（トイレ装置）
１０Ｂ：本体部
１０１：スピーカー
１０２：反射型センサー
１０２ａ：第一投光素子（投光部）
１０２ｂ：第二投光素子（投光部）
１０２ｃ：受光素子（受光部）
１０２ｄ：第三投光素子（投光部）
１０２ｈ，２０２ｈ：素子ホルダー
１０２ａａ：取付穴
１０２ｂａ：取付穴
１０２ｃａ：取付穴
１０２ｄａ：取付穴
１０３：運転スイッチ（操作指示部）
１０４：ＣＰＵ（制御部）
ＳＡ１：第一検知領域
ＳＡ２：第二検知領域
ＣＬ：中心線
ＨＬ：水平基準線
【図１】
2012090971.tif 000003
【図２】
2012090971.tif 000004
【図３】
2012090971.tif 000005
【図４】
2012090971.tif 000006
【図５】
2012090971.tif 000007
【図６】
2012090971.tif 000008
【図７】
2012090971.tif 000009
【図８】
2012090971.tif 000010
【図９】
2012090971.tif 000011
【図１０】
2012090971.tif 000012
【図１１】
2012090971.tif 000013
【図１２】
2012090971.tif 000014
【図１３】
2012090971.tif 000015
【図１４】
2012090971.tif 000016
【図１５】
2012090971.tif 000017
【図１６】
2012090971.tif 000018
【図１７】
2012090971.tif 000019
【図１８】
2012090971.tif 000020